【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
左右に並ぶ複数のシート本体と、
前記複数のシート本体の各々を乗物のフロアに対して鉛直軸を中心に回動可能に設ける回動機構と、
前記複数のシート本体の各々を前記フロアに対して面方向へ移動可能に設けるスライド機構と、を有する乗物用シートであって、
前記左右に並ぶ複数のシート本体のうち一方のシート本体は、該一方のシート本体が前記鉛直軸を中心に回動する際に、前記一方のシート本体が他方のシート本体に対して面方向に離間する方向へ移動可能に設けられ、
前記シート本体は、前記回動機構を介して前記スライド機構と連結され、
前記スライド機構は、前記フロアよりも下方に設けられ、
前記回動機構は、前記フロアの上方から下方にかけて延在するベースに連結されることを特徴とする乗物用シート。
【請求項２】
前記ベースは、上下に延在する円筒状を成すことを特徴とする請求項１に記載の乗物用シート。
【請求項３】
前記フロアには、前記ベースを面方向にスライド移動可能に挿通させる貫通孔が形成されることを特徴とする請求項１又は２に記載の乗物用シート。
【請求項４】
前記スライド機構は面方向において離間して複数備えられ、
前記貫通孔は、前記フロアのうち、面方向において離間して複数形成されており、
前記ベースは、前記フロアの下方に配置される下部ベースを有し、
前記下部ベースは、シート幅方向において前記貫通孔よりも外側に配置されることを特徴とする請求項３に記載の乗物用シート。
【請求項５】
前記ベースには、前記シート本体が前記回動機構により所定以上回動したときに回動を制限するための回動ストッパが設けられることを特徴とする請求項１乃至４のいずれか一項に記載の乗物用シート。
【請求項６】
前記スライド機構は複数備えられ、
前記ベースは、前記フロアの下方に配置される下部ベースを有し、
前記複数のスライド機構は、前記フロアの下方で前記下部ベースにより連結されることを特徴とする請求項１乃至５のいずれか一項に記載の乗物用シート。
【請求項７】
前記下部ベースよりも下方において、前記スライド機構を駆動させるモータを保持するブラケットが配置されることを特徴とする請求項６に記載の乗物用シート。
【請求項８】
前記下部ベースは、シート幅方向において前記回動機構よりも幅広に形成され、
前記スライド機構は、前記回動機構よりもシート幅方向において外側に配置されることを特徴とする請求項６又は７に記載の乗物用シート。
【請求項９】
前記シート本体は、シートクッションを構成するクッションフレームを有し、
前記クッションフレームは、水平に広がる平板部を有し、
前記ベースは、前記平板部に連結されることを特徴とする請求項１乃至８のいずれか一項に記載の乗物用シート。
【請求項１０】
前記シート本体は、クッションフレームを有するシートクッションと、バックフレームを有するシートバックと、ヘッドレストと、から構成され、
前記ベースは、前記クッションフレームに連結されることを特徴とする請求項１乃至９のいずれか一項に記載の乗物用シート。
【手続補正２】
【補正対象書類名】明細書
【補正対象項目名】発明の名称
【補正方法】変更
【補正の内容】
【発明の名称】乗物用シート
【手続補正３】
【補正対象書類名】明細書
【補正対象項目名】０００６
【補正方法】変更
【補正の内容】
【０００６】
本発明は上記実情に鑑みてなされたものであり、その目的は、鉛直軸を中心に乗物用シートを回動させる際に、隣接する乗物用シートに干渉することを避けることが可能な乗物用シートを提供することにある。
【手続補正４】
【補正対象書類名】明細書
【補正対象項目名】０００７
【補正方法】変更
【補正の内容】
【０００７】
前記課題は、本発明に係る乗物用シートによれば、左右に並ぶ複数のシート本体と、前記複数のシート本体の各々を乗物のフロアに対して鉛直軸を中心に回動可能に設ける回動機構と、前記複数のシート本体の各々を前記フロアに対して面方向へ移動可能に設けるスライド機構と、を有する乗物用シートであって、前記左右に並ぶ複数のシート本体のうち一方のシート本体は、該一方のシート本体が前記鉛直軸を中心に回動する際に、前記一方のシート本体が他方のシート本体に対して面方向に離間する方向へ移動可能に設けられ、前記シート本体は、前記回動機構を介して前記スライド機構と連結され、前記スライド機構は、前記フロアよりも下方に設けられ、前記回動機構は、前記フロアの上方から下方にかけて延在するベースに連結されることにより解決される。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
前記ベースは、上下に延在する円筒状を成してもよい。
【手続補正７】
【補正対象書類名】明細書
【補正対象項目名】００１０
【補正方法】変更
【補正の内容】
【００１０】
前記フロアには、前記ベースを面方向にスライド移動可能に挿通させる貫通孔が形成されてもよい。
【手続補正８】
【補正対象書類名】明細書
【補正対象項目名】００１１
【補正方法】変更
【補正の内容】
【００１１】
前記スライド機構は面方向において離間して複数備えられ、前記貫通孔は、前記フロアのうち、面方向において離間して複数形成されており、前記ベースは、前記フロアの下方に配置される下部ベースを有し、前記下部ベースは、シート幅方向において前記貫通孔よりも外側に配置されてもよい。
【手続補正９】
【補正対象書類名】明細書
【補正対象項目名】００１２
【補正方法】変更
【補正の内容】
【００１２】
前記ベースには、前記シート本体が前記回動機構により所定以上回動したときに回動を制限するための回動ストッパが設けられてもよい。
【手続補正１０】
【補正対象書類名】明細書
【補正対象項目名】００１３
【補正方法】変更
【補正の内容】
【００１３】
前記スライド機構は複数備えられ、前記ベースは、前記フロアの下方に配置される下部ベースを有し、前記複数のスライド機構は、前記フロアの下方で前記下部ベースにより連結されてもよい。
【手続補正１１】
【補正対象書類名】明細書
【補正対象項目名】００１４
【補正方法】変更
【補正の内容】
【００１４】
前記下部ベースよりも下方において、前記スライド機構を駆動させるモータを保持するブラケットが配置されてもよい。
前記下部ベースは、シート幅方向において前記回動機構よりも幅広に形成され、前記スライド機構は、前記回動機構よりもシート幅方向において外側に配置されてもよい。
前記シート本体は、シートクッションを構成するクッションフレームを有し、前記クッションフレームは、水平に広がる平板部を有し、前記ベースは、前記平板部に連結されてもよい。
前記シート本体は、クッションフレームを有するシートクッションと、バックフレームを有するシートバックと、ヘッドレストと、から構成され、前記ベースは、前記クッションフレームに連結されてもよい。
【手続補正１２】
【補正対象書類名】明細書
【補正対象項目名】００１５
【補正方法】変更
【補正の内容】
【００１５】
本発明によれば、鉛直軸を中心に乗物用シートを回動させる際に、隣接する乗物用シートに干渉することを避けることが可能な乗物用シートを提供できる。